(57)【要約】      （修正有）【課題】金属製の格子を構成する桟部材の浮き上がりが全く生じない桟部材どうしの接合構造の提供。【解決手段】桟部材５，６の互いに交差する部分に面落ち組みさせるコ字形状の切欠き部５ａ，６ａを設け、切欠き部５ａ，６ａの底面５ｂ、６ｂに、切欠き部５ａ，６ａを噛み合わせたときに互いに連通可能なピン穴５ｃ，６ｃを設けた。そしてピン穴５ｃ，６ｃの内部に、金属製のスプリングピン７の各片側部分を夫々圧入させて、スプリングピン７による圧入後の径拡張方向の付勢力により、桟部材５，６どうしを強く連結させて、桟部材５，６の接合後の浮き上がりを防止させるようにした。【選択図】図５
0003202390.tif 000002
【実用新案登録請求の範囲】
【請求項１】
金属製の格子を構成する桟部材どうしの接合構造であって、
前記各桟部材の互いに重なり合う部分に該各桟部材を面落ち組みさせるためのコ字形状の切欠き部が設けられ、該各切欠き部の底面に該各切欠き部を噛み合わせたときに互いに連通するピン穴が夫々設けられ、該ピン穴の内部に縮径方向の外圧に対して元の径に復帰する付勢力を有する金属製のスプリングピンの各片側部分が夫々圧入されて、該スプリングピンを介した双方の桟部材の連結により、前記各桟部材の接合後の浮き上がりが防止された接合構造を有していることを特徴とする金属製の格子を構成する桟部材どうしの接合構造。
【請求項２】
前記双方の桟部材は、前記スプリングピンによる接合に加えて、前記各底面どうしが接着剤による接着がされている、請求項１に記載の金属製の格子を構成する桟部材どうしの接合構造。
【請求項３】
前記金属製の格子は、格子付ガラス窓の格子である、請求項１又は２に記載の金属製の格子を構成する桟部材どうしの接合構造。
【考案の詳細な説明】
【技術分野】
【０００１】  本考案は、金属製の格子を構成する桟部材どうしの接合構造、とくに、スプリングピンを用いた接合構造と、スプリングピンと接着剤を用いた接合構造に関する。
【背景技術】
【０００２】  最近新築された建物の壁面、玄関ドア、玄関ドア横の袖パネル等に、採光用の格子付ガラス窓が設けられていることが多い。また、最近新築された公共施設や病院、介護施設、学校、調理室等では、室内の壁面や室内ドアに格子付ガラス窓が設けられていることが多い。【０００３】  格子付ガラス窓は、開閉操作が出来ない埋込み型のガラス窓の片面側又は両面側に格子が取り付けられたものからなり、窓枠と格子はアルミ製のものが多い。格子付ガラス窓のガラス板は、透明のもの、エッチングによる模様を施したもの等がある。【０００４】  透明ガラス板を用いた格子付ガラス窓の場合、格子を構成する桟部材どうしの接合がサラ頭付きねじで行われていると、サラ頭の端面が直接又は透明ガラス越しに見え、見栄えが良くない。格子付ガラス窓の窓枠と格子は工場で製造されるが、どの種類のガラス板が取り付けられるのかは、格子の製造後に決められる。このため、桟部材どうしの接合では、サラ頭が見えないようにすること、即ち、ビス留めしない接合構造にする必要がある。【０００５】  サラ頭付きねじを用いない特許文献１に開示の桟部材どうしの接合構造、特許文献２に開示の組立格子では、一方の桟部材の挿通穴（長尺穴）内に挿通した浮き上がり防止棒を、他方の桟部材内に設けた穴（短尺穴）内に挿通させて、接合した桟部材どうしの浮き上がりが生じるのを防いでいる。【０００６】  しかしながら、浮き上がり防止棒を各穴内に挿通し易くするため、各穴の径を浮き上がり防止棒の径よりも若干大きくすると、浮き上がり防止棒と各穴との間に遊びが生じて、接合した桟部材の若干の浮き上がりが生じ易くなり、若干の浮き上がりであっても格子の見栄えを低下させる。
【先行技術文献】
【０００７】
【特許文献１】特開２００５−１６３３５３号公報
【特許文献２】実公昭６１−１９５１１号公報
【考案の概要】
【考案が解決しようとする課題】
【０００８】  本考案が解決課題しようとする課題は、上述した不具合を解消するために提案され、浮き上がりが全く生じない桟部材どうしの接合構造にすることにある。
【課題を解決するための手段】
【０００９】  請求項１に係る金属製の格子を構成する桟部材どうしの接合構造は、次の構成を備える。
（１）金属製の格子を構成する桟部材どうしの接合構造である。
（２）前記各桟部材の互いに重なり合う部分に該各桟部材を面落ち組みさせるためのコ字形状の切欠き部が設けられている。
（３）該各切欠き部の底面に、該各切欠き部を噛み合わせたときに互いに連通するピン穴が夫々設けられている。
（４）該ピン穴の内部に、縮径方向の外圧に対して元の径に復帰する付勢力を有する金属製のスプリングピンの各片側部分が夫々圧入されている。
（５）該スプリングピンを介した双方の桟部材の連結により、前記各桟部材の接合後の浮き上がりが防止された接合構造を有している。【００１０】  請求項２に係る金属製の格子を構成する桟部材どうしの接合構造は、次の構成を備える。
（１）請求項１に記載の各構成を備える。
（２）前記双方の桟部材は、前記スプリングピンによる接合に加えて、前記各底面どうしが接着剤による接着がされている。【００１１】  請求項３に係る金属製の格子を構成する桟部材どうしの接合構造は、次の構成を備える。
（１）請求項１又は２に記載の各構成を備える。
（２）前記金属製の格子は、格子付ガラス窓の格子である。
【考案の効果】
【００１２】  本考案に係る金属製の格子を構成する桟部材どうしの接合構造は、次の効果を奏する。
（１）前記各桟部材は、該各桟部材のピン穴内に夫々片側半分が圧入されたスプリングピンを介して連結され、スプリングピンによる圧入後の径拡張方向の付勢力により夫々のピン穴の外周面を強く押し付ける接続構造にした結果、前記各桟部材による接合後の浮き上がりが防止され、ビスやねじを使用しない見栄えの良い丈夫な金属製の格子になる。【００１３】（２）前記スプリングピンによる接合に加えて接着剤による接着がされた接合構造にすると、前記各桟部材による接合後の浮き上がり防止効果が更に高くなる。前記各桟部材による接合後の浮き上がり防止は前記スプリングピンにより十分に行われているが、接着剤による前記各切欠き部どうしの接着が加わると、噛み合わせた部分の微細な浮き上がりも全く許さず、より確実な浮き上がり防止効果が得られる。
【考案を実施するための形態】
【００１４】  本考案の好適なる実施形態を以下の実施例において詳述する。
【図面の簡単な説明】
【００１５】
【図１】（ａ）は角型の格子付きガラス窓を備えた玄関ドアの正面図、（ｂ）は角型の格子付きガラス窓の拡大正面図、（ｃ）は（ｂ）におけるＰ部拡大図。
【図２】（ａ）は楕円型の格子付きガラス窓を備えた玄関ドアの正面図、（ｂ）は楕円型の格子付きガラス窓の拡大正面図。
【図３】（ａ）は丸型の格子付きガラス窓を備えた玄関ドアの一部を示した正面図、（ｂ）は丸型の格子付きガラス窓の拡大正面図。
【図４】格子付きガラス窓の一部を破断して示した側面断面図。
【図５】（ａ）はスプリングピンの斜視図、（ｂ）は同じく正面図、（ｃ）は（ｂ）におけるＢ−Ｂ拡大断面図、（ｄ）は接合前の桟部材とスプリングピンを示した斜視図。
【図６】（ａ）は一方の桟部材が有する切欠き部の底面にドリル加工によりピン穴を形成する工程を示した断面図、（ｂ）はドリル加工によりピン孔が設けられた他方の桟部材の切欠き部を示した断面図。
【図７】（ａ）はスプリングピンの圧入と共に双方の桟部材の切欠き部を噛み合わせる方法を示した断面図、（ｂ）は双方の桟部材の接合後の状態を示した正面断面図、（ｃ）は双方の桟部材の接合後の状態を示した斜視図、（ｄ）は双方の桟部材の接合後の状態を示した平面拡大断面図。
【図８】（ａ）はスプリングピンと接着剤を用いて双方の桟部材の切欠き部を噛み合わせる方法を示した斜視図、（ｂ）は（ａ）におけるＱ部拡大図、（ｃ）はスプリングピンと接着剤を用いた双方の桟部材の接合後の状態を示した正面断面図。
【実施例】
【００１６】［角型の格子付きガラス窓１Ａ］
図１（ａ）に示す採光窓付き玄関ドア５０Ａは、玄関ドア５０に採光と見栄えの良さを目的とした角型の格子付きガラス窓１Ａが取り付けられて構成されている。図１（ａ）（ｂ）に示すように、この格子付ガラス窓１Ａは、角型の窓枠２Ａに窓ガラス３が取り付けられ、窓ガラス３に沿う窓枠２Ａの室外側になる片面側に格子４が取り付けられて構成されている。【００１７】  格子４は、アルミ押出し成型材である一方の桟部材（縦桟に相当する。）５，５・・・と、他方の桟部材（横桟に相当する。）６，６・・・とが、直交する方向に夫々複数本組み付けられたもので、窓枠２Ａ内に丁度収まる大きさを有している。【００１８】  図１（ｂ）（ｃ）に示すように、一方の桟部材５，５・・・と他方の桟部材６，６・・・とは、面落ち組みによる噛み合わせとスプリングピン７，７・・・を介した連結により接合された格子４に出来上がっている。一方の桟部材５，５・・・の両端部と他方の桟部材６，６・・・の両端部は、窓枠２Ａの室外側に向けた部分（窓外枠材に相当する。）の内周面にビス８，８・・・を用いて装着され、この装着により格子４全体が窓枠２Ａに固定されている。上述した噛み合わせと、双方の桟部材５，５・・・、６，６・・・の両端部を窓枠２Ａにビス留めしただけでは、噛み合わせた箇所の浮き上がりが生じる可能性を残すが、スプリングピン７，７・・・を用いた接合構造にすると、長期間経過してもこのような浮き上がりは生じない。【００１９】  図１（ｂ）を見ると、一方の桟部材５，５・・・と他方の桟部材６，６・・・とによる全ての交差箇所がスプリングピン７，７・・・で連結されているが、本考案はこれに限定されない。複数ある交差箇所のうちの一部個所をスプリングピン７，７・・・で連結させてもよい。スプリングピン７で連結する箇所の数は、双方の桟部材５，６の太さ、間隔、本数、製作コスト、製作時間等が考慮されて決められる。【００２０】［楕円型の格子付きガラス窓１Ｂ］
図２（ａ）に示す採光窓付き玄関ドア５０Ｂは、玄関ドア５０に採光窓になる楕円型の格子付きガラス窓１Ｂが取り付けられて構成されている。図２（ａ）（ｂ）に示すように、この格子付ガラス窓１Ｂは、楕円型の窓枠２Ｂに窓ガラス３が取り付けられ、窓ガラス３に沿う窓枠２Ｂの片面側に格子４が取り付けられて構成されている。この格子４は、アルミ押出し成型材である一方の桟部材（縦桟に相当する。）５，５・・・と、他方の桟部材（横桟に相当する。）６，６・・・とが、直交する方向に各２本組み付けられたもので、窓枠２Ｃ内に丁度収まる大きさを有する。双方の桟部材５，６どうしの接合構造は、前述した接合構造と同様となっている。【００２１】［丸型の格子付きガラス窓１Ｃ］
図３（ａ）に示す採光窓付き玄関ドア５０Ｃは、玄関ドア５０に採光窓になる丸型の格子付きガラス窓１Ｃが取り付けられて構成されている。丸型は円型を意味するが、当業界で丸型と称されているため、丸型の語を用いた。図３（ａ）（ｂ）に示す丸型の格子付きガラス窓１Ｃも、前々述及び前述の場合と同様の接合構造を有している。【００２２】［格子付きガラス窓１の取付構造］
図４は、格子付きガラス窓１の１形態を側面断面図で示しており、横桟（他方の桟部材）６，６・・・の本数及びピッチに違いはあるが、上述した各種の格子付きガラス窓の何れにも共通する断面構造を有している。
図４に示す格子付きガラス窓１の窓枠２は、窓外枠材２Ｆと窓内枠材２Ｒとにより構成されている。ビス８，８・・・を用いて格子４を取り付けた窓外枠材２Ｆは、玄関ドア５０、室内ドア５１、室内の壁面５２等に設けた開口１０の室外側の周縁部から開口１０の内側に向けて配置され、ビス１２を用いて開口枠材１１に留め付けられる。窓内枠材２Ｒは、開口１０の室内側の周縁部から開口１０の内側に向けて配置されて、ビス１３を用いて開口枠材１１に留め付けられ、この留め付けの際に、窓外枠材２Ｆと窓内枠材２Ｒの間にパッキン９と共に窓ガラス３が挟み付けられる方法で取り付けられる。【００２３】［スプリングピン７］
図５（ａ）（ｂ）（ｃ）に示すスプリングピン７はステンレス製のストレート形スプリングピンである。このスプリングピン７は、円筒部７ａの軸芯に沿う方向に直線形のスリット７ｂが設けられ、円筒部７ａの軸方向の両端外周部には小径に絞られたテーパ面７ｃ，７ｃが形成された形状を有している。本考案の桟部材どうしの接合構造では、このストレート形のスプリングピン７、スリットが波形の波形スプリングピン（図示せず）のいずれがが用いられる。いずれのスプリングピンも、径を縮小する方向の外圧に対して若干小径になり且つ元の径に復帰する方向の強い弾性復帰力を有している。【００２４】  図５（ｄ）に示すように、一方の桟部材５と他方の桟部材６の交差する部分には、コ字形状の切欠き部５ａ，６ａが開設されており、双方の切欠き部５ａ，６ａを底面５ｂ、６ｂが当接する位置まで噛み合わせると、双方の桟部材５，６が面落ち組みされる。【００２５】  本考案では、双方の桟部材５，６の底面５ｂ，６ｂに、面落ち組みしたときに連通するピン穴５ｃ、６ｃを開設し、上述の噛み合わせの際に、スプリングピン７の一方の片側部分がピン穴５ｃ内に圧入され、スプリングピン７の他方の片側部分がピン穴６ｃ内に圧入されて、双方の桟部材５，６を接合させる接合構造を有している。【００２６】  図６（ａ）に示すように、一方の桟部材５における切欠き部５ａの底面５ｂにピン穴５ｃを形成する加工は、回転するドリル２０の刃先による切削で行われる。図６（ｂ）に示す他方の桟部材６における切欠き部６ａの底面６ｂにも、同様のピン穴６ｃが形成される。ピン穴５ｃ，６ｃの直径φｄと深さｈは、双方の桟部材５，６の太さと、図（ａ）（ｂ）に示すスプリングピン７の太さと長さ次第ということになる。しかしながら双方の切欠き部５ａ，６ａの底面５ｂ、６ｂどうしを当接させるためには、双方のピン穴５ｃ，６ｃを合わせた深さは、スプリングピン７の長さよりも深くする必要がある。また、双方の桟部材５，６を接合したときにピン穴５ｃ，６ｃやスプリングピン７を露見させないためにピン穴５ｃ，６ｃを有底にする必要がある。【００２７】  例えば、１０〜１２ｍｍ角の桟部材５，６を使用する場合には、直径が１．７〜２．７５ｍｍ、長さが４〜８ｍｍ、肉厚が０．３〜０．５ｍｍのステンレス製のスプリングピン７を用いることが好ましい。スリット７ａはスプリングピン７に縮径方向の強い外圧を与えたときに縮径するためにある。ピン穴５ｃの直径φｄは、スプリングピン７を圧入させるため、スプリングピン７の直径よりも０．１５ｍｍ程度小径である。市販のスプリングピン７は、ドリルの径（ピン穴５ｃの直径φｄ）に対応する径まで緊縮する（圧入できる）サイズになっている。【００２８】  図７（ａ）示すように、一方の桟部材５のピン穴５ｃ内にスプリングピン７を圧入してスプリングピン７の起立姿勢を維持させた状態で、切欠き部５ｂの上から切欠部６ｂを強い力で被せ合わせる。このようにすると、スプリングピン７の上半分がピン穴６ｃ内に圧入される（カシメ入れられる。）この作業を通じて図７（ｃ）に示すように双方の桟部材５，６を面落ち組みさせる。この結果、図７（ｄ）に示すように、ピン穴５ｃ（６ｃ）内に圧入したスプリン��ピン７が付勢力を伴って拡径する圧力がピン穴５ｃ（６ｃ）の内壁に強く作用して、面落ち組みした双方の桟部材５，６どうしが強く連結され、双方の桟部材５，６間の浮き上がりは生じない。即ち、当接した部分に隙間が生じない。このため、長期間経過しても丈夫で見栄えの良い格子の状態が維持される。【００２９】  図８（ａ）（ｂ）は、スプリングピン７による双方の切欠機部５ａ，６ａの連結に加えて、双方の切欠機部５ａ，６ａの底面５ｂ，６ｂどうしを接着剤１４で接着させる方法が示され、図８（ｃ）はこの接合構造を正面断面図で示している。
【産業上の利用分野】
【００３０】  本考案に係る金属製の格子を構成する桟部材どうしの接合構造は、建物の壁面、玄関ドア、玄関ドア横の袖パネル等における採光用の格子付ガラス窓の分野で利用される。
【符号の説明】
【００３１】  １  ：格子付きガラス窓
２  ；窓枠
２Ａ：（角型の）窓枠
２Ｂ：（楕円型の）窓枠
２Ｃ；（丸型の）窓枠
３  ：窓ガラス
４  ：格子
５  ：一方の桟部材（縦桟）
５ａ：切欠き部
５ｂ：底面
５ｃ：ピン穴
６  ：他方の桟部材（横桟）
６ａ：切欠き部
６ｂ：底面
６ｃ：ピン穴
７  ：スプリングピン
１４  ：接着剤
５０  ：玄関ドア
【図１】
0003202390.tif 000003
【図２】
0003202390.tif 000004
【図３】
0003202390.tif 000005
【図４】
0003202390.tif 000006
【図５】
0003202390.tif 000007
【図６】
0003202390.tif 000008
【図７】
0003202390.tif 000009
【図８】
0003202390.tif 000010